(57)【特許請求の範囲】
【請求項１】
液体（３１）および／または気体を受けるための少なくとも１つの供給管または供給溝（３）を備えた供給および／または冷却システム（１，１’）であって、
前記供給管または供給溝（３）は、給液装置（６）および／または気体供給ならびに／もしくは気体排出システムに結合されており、
前記供給管または供給溝（３）は、管底または溝底または管周面領域または溝側面領域（３０）に、少なくとも１つの液体流出口および／または気体流出口（３２）を有し、
前記供給管または供給溝（３）に、長く伸びるように形成された複数の作用物質キャリヤ（２）および／または冷却長伸部材が、当該供給管または供給溝（３）の長手方向（ｘ）において互いに離隔して垂下するように取り付けられており、かつ／または前記気体供給および／または気体排出システムに結合された前記供給管または供給溝は、少なくとも１つの作用物質キャリヤ（２）および／または冷却長伸部材の下方に垂下しており、
前記作用物質キャリヤ（２）は、少なくとも１つの作用物質を有し、かつ／または担持し、
前記作用物質キャリヤおよび／または冷却長伸部材には、前記液体流出口および／または気体流出口（３２）を介して前記液体（３１）および／または気体が供給され得る、供給および／または冷却システム（１，１’）において、
前記供給管または供給溝（３）は、鉛直方向に移動可能である
ことを特徴とする供給および／または冷却システム（１，１’）。
【請求項２】
前記少なくとも１つの作用物質は、前記作用物質キャリヤ（２）の互いに離隔された複数の作用場所（２１）に設けられている、
請求項１記載の供給および／または冷却システム。
【請求項３】
前記供給管または供給溝（３）は、引出可能な取付システム（５１）を用いて、前記供給および／または冷却システム（１，１’）の鉛直方向に非可動の保持モジュール（４２）に取り付けられている、
請求項１記載の供給および／または冷却システム。
【請求項４】
前記供給および／または冷却システム（１，１’）は、前記供給管または供給溝（３）を案内する少なくとも１つの鉛直方向の支持体（４）を備えている、
請求項１から３までのいずれか１項記載の供給および／または冷却システム。
【請求項５】
前記少なくとも１つの作用物質キャリヤ（２）および／または冷却長伸部材まわりにフレームが設けられており、
前記フレームの少なくとも一部は、前記保持モジュール（４２）と前記少なくとも１つの鉛直方向の支持体（４）とによって構成されている、
請求項３または４記載の供給および／または冷却システム。
【請求項６】
前記供給および／または冷却システム（１，１’）は、前記供給管または供給溝（３）の両側に当該供給管または供給溝（３）の長手方向（ｘ）において互いに離隔して設けられた２つの鉛直方向の支持体（４）を備えている、
請求項４または５記載の供給および／または冷却システム。
【請求項７】
前記少なくとも１つの鉛直方向の支持体（４）は、媒体を導くための少なくとも１つの媒体路（６２，６３）を備えている、
請求項４から６までのいずれか１項記載の供給および／または冷却システム。
【請求項８】
前記供給および／または冷却システム（１，１’）は、前記少なくとも１つの作用物質キャリヤ（２）および／または冷却長伸部材に向けられた、または向けることができる少なくとも１つの気体供給ならびに／もしくは気体排出システム（９）および／またはファンシステムを備えている、
請求項１から７までのいずれか１項記載の供給および／または冷却システム。
【請求項９】
前記供給および／または冷却システム（１，１’）は、前記少なくとも１つの作用物質キャリヤ（２）および／または冷却長伸部材に向けられた、または向けることができる少なくとも１つの電気的照明装置（８）を備えている、
請求項１から８までのいずれか１項記載の供給および／または冷却システム。
【請求項１０】
前記少なくとも１つの作用物質キャリヤ（２）および／または冷却長伸部材は、前記供給管または供給溝（３）の前記液体流出口（３２）の内部または外部および／または下方に取り付けられている、
請求項１から９までのいずれか１項記載の供給および／または冷却システム。
【請求項１１】
前記少なくとも１つの作用物質キャリヤ（２）および／または冷却長伸部材は、水平方向に搬送可能かつ／もしくは移動可能であり、かつ／または巻取可能である、
請求項１から１０までのいずれか１項記載の供給および／または冷却システム。
【請求項１２】
前記少なくとも１つの液体流出口（３２）に接続された給液路（６３）が、前記少なくとも１つの作用物質キャリヤ（２）および／または冷却長伸部材に通されている、
請求項１から１１までのいずれか１項記載の供給および／または冷却システム。
【請求項１３】
前記少なくとも１つの液体流出口（３２）に、少なくとも１つの調整可能なバルブ（６４）および／または調整可能なノズルが設けられている、
請求項１から１２までのいずれか１項記載の供給および／または冷却システム。
【請求項１４】
前記供給管または供給溝（３）から鉛直方向に距離をおいて、少なくとも１つの安定化要素（７，７’）が設けられており、
前記安定化要素（７，７’）に、前記少なくとも１つの作用物質キャリヤ（２）ならびに／もしくは冷却長伸部材が取り付けられており、かつ／または前記安定化要素（７，７’）に、前記少なくとも１つの作用物質キャリヤ（２）ならびに／もしくは冷却長伸部材が通されている、
請求項１から１３までのいずれか１項記載の供給および／または冷却システム。
【請求項１５】
少なくとも２つの作用物質キャリヤ（２）および／または冷却長伸部材が、前記安定化要素（７，７’）によって互いに接続されている、
請求項１４記載の供給および／または冷却システム。
【請求項１６】
前記安定化要素（７，７’）は、前記少なくとも１つの鉛直方向の支持体（４）の少なくとも内部または外部にて案内される、
請求項４から７までのいずれか１項記載の供給および／または冷却システム。
【請求項１７】
前記少なくとも１つの作用物質キャリヤ（２）および／または冷却長伸部材は、少なくとも１つのフィルタ材料、および／または複数の孔を有する少なくとも１つの材料、および／または少なくとも１つの触媒材料、および／または吸湿性ならびに／もしくは保湿性もしくは吸水性の材料、および／または蓄冷材および／または蓄熱材および／または少なくとも１つの栄養物質および／または少なくとも１つの反応性表面および／または接着表面を有し、または担持する、
請求項１から１６までのいずれか１項記載の供給および／または冷却システム。
【請求項１８】
前記少なくとも１つの作用物質キャリヤ（２）の前記作用場所（２１）に、種および／または植物が設けられている、
請求項１から１７までのいずれか１項記載の供給および／または冷却システム。
【請求項１９】
前記少なくとも１つの作用物質キャリヤ（２）および／または冷却長伸部材を少なくとも部分的に巻き取るための巻取装置が、当該少なくとも１つの作用物質キャリヤ（２）および／または冷却長伸部材の上端部および／または下端部に設けられている、
請求項１から１８までのいずれか１項記載の供給および／または冷却システム。
【請求項２０】
前記供給および／または冷却システム（１，１’）は、少なくとも１つの風センサまたはフローセンサを備えている、
請求項１から１９までのいずれか１項記載の供給および／または冷却システム。
【請求項２１】
前記少なくとも１つの作用物質キャリヤ（２）および／または冷却長伸部材は、前記供給および／または冷却システム（１，１’）の撒水装置内に垂下している、
請求項１から２０までのいずれか１項記載の供給および／または冷却システム。
【請求項２２】
前記少なくとも１つの作用物質キャリヤ（２）および／または冷却長伸部材は、少なくとも１つの殺虫性繊維および／または少なくとも１つの静菌性繊維から構成されており、かつ／または少なくとも１つの静菌性繊維材料を含む、
請求項１から２１までのいずれか１項記載の供給および／または冷却システム。
【請求項２３】
前記少なくとも１つの作用物質キャリヤ（２）および／または冷却長伸部材は、少なくとも１つのガーゼ織物から構成されており、かつ／またはガーゼ織物に埋め込まれている、
請求項１から２２までのいずれか１項記載の供給および／または冷却システム。
【請求項２４】
前記供給および／または冷却システム（１）は、少なくとも１つの建物ファサードならびに／もしくは少なくとも１つの建物屋根を覆い、かつ／または天井もしくは天井支持材に取り付けられている、
請求項１から２３までのいずれか１項記載の供給および／または冷却システム。
【請求項２５】
前記供給および／または冷却システム（１）は自立型であり、
前記供給および／または冷却システムは、床もしくは地面に直接固定され、もしくは固定可能であり、または土台を用いて床もしくは地面に固定され、もしくは固定可能であり、かつ／または土台を用いて床もしくは地面に沿って可動である、
請求項１から１７までのいずれか１項記載の供給および／または冷却システム。
【請求項２６】
前記供給および／または冷却システム（１）は、浄水槽の底、天井および／または壁に設けられている、
請求項１から２４までのいずれか１項記載の供給および／または冷却システム。
【発明の詳細な説明】
【技術分野】
【０００１】
本発明は、液体および／または気体を受けるための少なくとも１つの供給管または供給溝を備えた供給および／または冷却システムであって、当該供給管および／または供給溝は給液装置および／または気体供給ならびに／もしくは気体排出システムに結合されており、当該供給管および／または供給溝は管底または溝底または管周面領域または溝側面領域に少なくとも１つの液体流出口および／または気体流出口を有し、供給管または供給溝に、長く伸びるように形成された少なくとも１つの作用物質キャリヤおよび／または冷却長伸部材が垂下するように取り付けられており、かつ／または気体供給および／または気体排出システムに結合された供給管または供給溝は少なくとも１つの作用物質キャリヤおよび／または冷却長伸部材の下方に垂下しており、作用物質キャリヤは少なくとも１つの作用物質を有し、かつ／または担持し、作用物質キャリヤおよび／または冷却長伸部材には、液体流出口および／または気体流出口を介して液体および／または気体が供給され得る、供給および／または冷却システムに関する。
【０００２】
有害物質分解のため、特にＣＯ２拘束や微塵フィルタリングのため、都市空間の防音および／または装飾のため、都市空間、都市インフラストラクチャおよび都市建築物を緑化する傾向が見られる。こうするためには、とりわけ公園が設置され、中庭の緑化が行われ、ファサードおよび屋根に植物が植えられる。特に、緑化装置を用いたファサードや屋根の緑化は、緑化設備や、その内部または外部に設けられた種および／または植物がファサードおよび／または屋根に設けられた後は接近することが困難になるので、種および／または植物および緑化設備の手入れまたは保守が大抵は非常に面倒になってしまうという問題がある。
【０００３】
都市空間の緑化の他、従来技術から公知の、光触媒物質が施された特殊な屋根レンガ、舗石および／またはファサードインキを用いることも、有害物質の分解に寄与することができる。
【０００４】
独国実用新案第２０２００９０１４６７５号明細書はたとえば、ファサード緑化のための植物プレートを記載しており、たとえばスレート屋根板等であるこの植物プレートはファサードに取り付けられている。植物プレートに包含されるプラスチックプレートには、種を設けた培地キャリヤが設けられている。この培地キャリヤは、植物の根と水とを保持するために供される。
【０００５】
独国実用新案第２０２０１２１０４８８４号明細書には縦型緑化システムが開示されており、この縦型緑化システムは、支持する壁に取り付けられる支持板を備えている。支持板にはカバー不織布が設けられており、このカバー不織布は一実施形態では、ポケット状の形状を成すように折り畳まれている。この植物ポケット内に保水性の培地が入れられ、これは不織布と共に、植物の根付きが可能な媒質を構成する。一変形態様では、縦型緑化システムは支持板の下方に、導水成形体として機能する溝を備えている。他の一実施形態では、この導水成形体はフレームとして、縦型緑化システムを完全に包囲することができる。
【０００６】
独国特許発明第１０２０１００４５６６６号明細書は、鉛直面と傾斜面とを緑化するための緑化システムを記載している。この緑化システムは植生支持層を使用し、水および／または栄養物質が植生支持層の側を流れて植生支持層と撒水構造体との間で水／栄養物質輸送が行われるように、植生支持層は撒水構造体の手前に配置されている。一実施形態では、植生支持層の手前にさらに、これを覆うカバー支持層を配置することもでき、これは複数の成長穴を有する。
【０００７】
本発明の課題は、フレキシブルに使用することができ、接近しやすくかつ取り扱いやすく、簡単な構造的構成を有する供給および／または冷却システムを実現することである。
【０００８】
本発明の課題は、上記分野の供給および／または冷却システムであって、供給管または供給溝を鉛直方向に移動させることができる供給および／または冷却システムによって解決される。
【０００９】
本発明は、供給管および／または供給溝に垂下するように取り付けられた１つまたは複数の作用物質キャリヤおよび／または冷却長伸部材に、当該供給管ないしは供給溝とこれに結合された給液装置とを介して液体が供給され得る供給および／または冷却システムを開示するものである。
【００１０】
よって、本発明の供給および／または冷却システムの供給管または供給溝は、これに垂下するように取り付けられた（１つまたは複数の）作用物質キャリヤおよび／または冷却長伸部材を保持するためだけでなく、特に、液体を受けてさらに流して、（１つまたは複数の）作用物質キャリヤおよび／または冷却長伸部材へ当該液体を供給するためにも供される。
【００１１】
「液体」とは本発明では、２０℃付近かつ１バール付近で液状または流動性の媒体をいう。液体は本発明では、１つまたは複数の作用物質キャリヤおよび／または冷却長伸部材への供給液、特に、作用物質キャリヤが有するかつ／または担持する（１つまたは複数の）作用物質への供給液である。最も簡単な事例では、液体は水または栄養物質溶液とすることができるが、油またはゲルとすることも可能である。
【００１２】
本発明の供給および／または冷却システムでは、供給管または供給溝に結合された給液装置を用いて、液体を連続的または間欠的に供給管または供給溝内へ送ることができる。
【００１３】
給液装置はたとえば、液体を受けて貯蔵するための少なくとも１つの集液容器と、当該液体を供給管または供給溝へ供給するための、当該集液容器から出ている少なくとも１つの供給路とを備えることができる。集液容器は、たとえばタンク、貯蔵容器、貯水池、湖、雨どい等とすることができる。
【００１４】
供給路としてはたとえば、集液装置から供給管または供給溝に連通している管またはホースを使用することができ、この管またはホースはたとえば、供給管の少なくとも１つの開口から当該供給管内に差し込むことができ、または供給溝の縁部から当該供給溝内に設置することができる。その際には、ポンピング、正圧空気または負圧空気を用いて、集液容器から供給路を経由して液体を供給管または供給溝に輸送することができ、または重力に基づいて供給管または供給溝内に単に落下させることができる。
【００１５】
給液装置と供給管または供給溝との流体的な結合が保証される限りにおいて、給液装置を供給システムの周辺に、または供給システムの任意の位置に設けることができる。
【００１６】
供給管および／または供給溝は、任意の長さおよび／または任意の形状とすることができ、かつ／または任意の耐液性材料から成ることができる。たとえば、供給管は丸形または方形の断面を有することができ、それに対して供給溝はたとえば、半円形または三角形の断面を有することができる。有利には、供給管または供給溝の向きは直線状とされるが、本発明の特定の実施形態では、供給管または供給溝の長手方向の広がりを角状に、ないしは角を付けることができ、または弧状にすることもできる。
【００１７】
長く伸びるように形成された少なくとも１つの作用物質キャリヤおよび／または冷却長伸部材は、たとえばベルト、縄、ロープ、コード、紐および／またはチェーンとすることができる。長く伸びるように形成された作用物質キャリヤおよび／または冷却長伸部材は１片から作製することができ、または長く伸びるように形成された複数の部品を組み合わせて１つの紐にすることもできる。さらに、想定可能のみであるあらゆる材料から成ることもできる。
【００１８】
長く伸びるように形成された少なくとも１つの作用物質キャリヤおよび／または冷却長伸部材を垂下させるように供給管または供給溝に取り付けることにより、長く伸びるように形成された少なくとも１つの作用物質キャリヤおよび／または冷却長伸部材に当たった液体は問題なく作用物質キャリヤ全体に流れ、または滴下することができ、このことによって作用物質キャリヤ全体および／または冷却長伸部材全体に液体を十分に供給することができる。
【００１９】
本発明では、供給管または供給溝に取り付けられた長く伸びるように形成された作用物質キャリヤおよび／または冷却長伸部材には、管底領域または溝底領域に設けられた少なくとも１つの液体流出口を通って液体が供給される。液体流出口は、簡単な孔、ふるいもしくはフィルタを統合した開口、封止部もしくはバルブを設けた開口、または流出細管もしくは流出溝を取り付けた開口として構成することができる。
【００２０】
液体流出口を管底領域または溝底領域に設けることにより、有利には供給管または供給溝のシンクに設けることにより、追加の送液システムを用いることなく供給管内または供給溝内から直接、長く伸びるように形成された少なくとも１つの作用物質キャリヤに液体を流すことができ、または滴下させることができるという利点が奏される。よって、本発明の最も簡単な実施形態では、供給管内または供給溝内から少なくとも１つの作用物質キャリヤおよび／または冷却長伸部材への液体流出はほとんど自然に行われ、これに応じて、本発明の供給および／または冷却システムの調達コストおよび稼働コストを低く抑えることができる。
【００２１】
本発明の他の一実施形態では、特殊な流出システムを用いて供給管または供給溝から少なくとも１つの作用物質キャリヤおよび／または冷却長伸部材へ液体を与えることができる。たとえば、供給管または供給溝から液体を吸引して加圧下で作用物質キャリヤおよび／または冷却長伸部材へ与えるシステムを設けることができる。このことによって奏される利点は、大量の液体をより迅速に少なくとも１つの作用物質キャリヤおよび／または冷却長伸部材へ輸送し、かつ／または少なくとも１つの作用物質キャリヤおよび／または冷却長伸部材に通過させることができることである。
【００２２】
本発明の供給および／または冷却システムでは、作用物質キャリヤおよび／または冷却長伸部材へ給液と気体供給とを並行して行うこと、または気体供給のみを行うこともできる。液体の供給を上方から重力に従って行い、かつたとえば空気／ＣＯ２混合気の給気を下方から行うと、有利であることが判明している。
【００２３】
本発明では、長く伸びるように形成された少なくとも１つの作用物質キャリヤは少なくとも１つの作用物質を有し、この作用物質は部分的に作用物質キャリヤの外部もしくは内部に設けることができ、または作用物質によって担持することができ、または作用物質が作用物質キャリヤの全部もしくは少なくとも一部を覆うことができる。さらに、作用物質キャリヤの全部または一部のみが作用物質から成ることも可能である。作用物質としては、たとえば少なくとも１つの培地を使用することができる。この培地はたとえば、土壌、不織布材、ムース、泥炭土またはクレイ顆粒から構成することができる。また作用物質として、有害物質減少および／または酸素生成のための物質を使用することもできる。さらに、（１つまたは複数の）作用物質として、吸音特性、空気清浄特性、装飾特性および／または他の特性を有する少なくとも１つの物質を使用することも可能である。
【００２４】
少なくとも１つの作用物質キャリヤならびに／もしくは冷却長伸部材、供給管または供給溝および／または少なくとも１つの液体流出口を最適に使用し、手入れし、装備し、保守し、かつ／または修繕するため、本発明では供給管または供給溝が鉛直方向に移動可能となっている。たとえば、使用時には供給管または供給溝を高い位置に設け、たとえば１つもしくは複数の作用物質キャリヤの上部分または中程度の高い部分に容易に接近できるようにするため、または供給管もしくは供給溝を保守するため、供給管または供給溝を下方に移動させることができる。したがって、供給管または供給溝が鉛直方向に移動可能であることにより、比較的面倒なく作用物質キャリヤおよび／または冷却長伸部材のいかなる場所も良好に使用することができ、かつ手入れすることができる。
【００２５】
本発明の供給および／または冷却システムが冷却長伸部材を備えている場合、冷却長伸部材を、たとえば設備の内部領域または空間の冷却等の断熱冷却過程のために使用することができる。
【００２６】
供給管または供給溝の鉛直方向の移動可能性は、手動および自動の双方で実現することができる。その移動可能性は、複数段で、または無段で実現することもできる。有利には、供給管または供給溝は下方向に向かって、供給システムの支持体の下端部まで、有利には供給システムの高さの少なくとも半分まで、さらに有利には供給および／または冷却システムの高さの１／３まで移動可能であり、その後再び上方向に移動可能である。
【００２７】
少なくとも１つの作用物質キャリヤおよび／または少なくとも１つの冷却長伸部材は、水平方向に搬送可能または移動可能および／または巻取可能に構成することもできる。かかる構成により、供給および／または冷却システムの設備複雑性を場合によっては低下させることができる。水平方向の搬送を実現できるようにするためには、たとえば、窓装飾または日除け技術から公知である搬送システムを使用することができる。少なくとも１つの作用物質キャリヤおよび／または冷却長伸部材を構成するために使用される長片および／または繊維は、たとえばフックおよびチェーンコンベヤシステムを用いてガイドレール上にて水平方向に搬送させることができ、たとえばロールから取り出すことができる。
【００２８】
有利には、供給管または供給溝を鉛直方向に移動させるため、当該供給管または供給溝は、電気的、空気圧式、液圧式および／または手動の駆動ユニットに結合されており、かつ／または結合可能となっている。
【００２９】
本発明の有利な一実施形態の供給および／または冷却システムでは、少なくとも１つの作用物質は、作用物質キャリヤの複数の互いに離隔された作用場所の外部または内部に設けられている。作用物質キャリヤを介して、その作用場所は長片状に互いに接続され、なおかつ互いに別々になっている。作用物質キャリヤを長片状に構成することにより、いかなる作用場所へも、液体を作用物質キャリヤにおいて順次降下させることによって供給することができる。このことにより、たとえば異なる作用を発揮する複数の作用物質を作用物質キャリヤに設け、かつ全ての作用場所に液体を適切に供給することを、問題なく行うことができる。
【００３０】
有利には、互いに離隔した複数の作用場所に培地を導入する。
【００３１】
こうするためには、作用物質キャリヤをたとえば延性材料から構成することができ、作用物質キャリヤのこの材料を延ばすことによって当該材料に培地を、互いに離隔した複数の作用場所に導入し、かつ各導入された培地の上方と下方とにおいては作用物質キャリヤの当該材料は延ばさないことにより、当該材料は、延びた場所において培地を保持することができる。つまり、培地は作用物質キャリヤに埋め込まれた位置において、作用物質キャリヤの材料によって包囲され、かつ作用物質キャリヤの延ばされていない領域間に固定される。また、少なくとも１つの作用物質キャリヤは、自己が担持する作用物質の所望の反応中の体積減少に基づく当該作用物質の放出を防止する役割も果たすことができる。
【００３２】
作用物質キャリヤはまた、互いに離隔した複数のポケットも備えることができ、このポケット内には、たとえば培地が入れられる。
【００３３】
本発明の最適な一実施形態の供給および／または冷却システムでは、供給管または供給溝は、引出可能な取付システムを用いて、当該供給および／または冷却システムの鉛直方向に非可動の保持モジュールに取り付けられている。
【００３４】
この保持モジュールによって、供給および／または冷却システムの個々の要素、たとえば供給管または供給溝または給液装置を取り付けるだけでなく、特にまとめて保持することができる。また、保持モジュールはたとえば、給液装置の要素を保持することもできる。さらに、供給および／または冷却システム全体を安定的に保持できるようにするために適した場所に保持モジュールを取り付けることもできる。引出可能な取付システムによって、保持モジュールにより位置安定的な保持がなされるにもかかわらず、供給管または供給溝を鉛直方向に簡単に移動させることができる。
【００３５】
保持モジュールは有利には、供給システムの上端部に設けられる。その際には、供給および／または冷却システムの個々の要素への接近をさらに容易化し、かつ改善することができるようにするため、ひいては当該個々の要素の保守、手入れおよび修繕をさらに容易化し、かつ改善できるようにするため、保持モジュールを自己の軸線まわりで回転可能または水平方向に移動可能ならびに／もしくは取出可能とすることができる。
【００３６】
引出可能な取付システムは、たとえばロープワインダとして構成することができ、このロープワインダは保持モジュールに取り付けられる。さらに、供給管または供給溝を案内および支持できるガイドレールを保持モジュールに設けることも可能である。
【００３７】
引出可能な取付システムを開ループ制御および閉ループ制御して供給管もしくは供給溝を鉛直方向に移動させるため、かつ／または少なくとも１つの作用物質キャリヤならびに／もしくは冷却長伸部材を水平方向に移動させるための駆動ユニットは、スペース容量、媒体供給の手段、供給管もしくは供給溝の鉛直方向の移動可能性の利用の頻度および／または経済性に依存して選定することができる。かかる個別の事情に応じて駆動ユニットを供給システムに組み込むことができ、または別体のユニットとして供給および／または冷却システムに配置することができる。しかし有利には、駆動ユニットは保持モジュール内において、引出可能な取付システムの直近に設けられる。
【００３８】
有利には、供給および／または冷却システムは、供給管または供給溝を案内する少なくとも１つの鉛直方向の支持体を備えている。この鉛直方向の支持体で供給管または供給溝が案内されることにより、まさに自然のまたは人為的な高い風速が生じ得る場合がある屋外において供給および／または冷却システムが使用されるときに、供給管または供給溝の位置および鉛直方向の移動可能性が確保され、これにより損傷のリスクが低減する。
【００３９】
有利には、相対向して設けられる２つの鉛直方向の支持体が使用され、これらの鉛直方向の各支持体にそれぞれ、供給管または供給溝の一端または一端付近の部分が保持および案内される。しかし、多くの用途では、鉛直方向の支持体を１つのみ設けることも可能であり、この鉛直方向の支持体はたとえば、供給管もしくは供給溝の中央に設けられ、または供給管もしくは供給溝が比較的短い場合、鉛直方向の支持体は供給管もしくは供給溝を絞首台状に保持する。
【００４０】
少なくとも１つの鉛直方向の支持体は特に、柱、支柱、棒または杭として構成することができ、また、壁、塀または樹木によって構成することもできる。
【００４１】
有利には、少なくとも１つの作用物質キャリヤおよび／または冷却長伸部材まわりにフレームが設けられ、このフレームの少なくとも一部は、保持モジュールと少なくとも１つの鉛直方向の支持体とによって構成される。フレームを構成するために有利なのは、少なくとも１つの鉛直方向の支持体を、当該鉛直方向の支持体の上端部に設けられる保持モジュールに接続することである。また、少なくとも１つの鉛直方向の支持体と保持モジュールとを、当該鉛直方向の支持体の上端部に設けられる水平方向のガイドによって互いに接続することも可能である。かかる接続のためには、とりわけリベット結合、ボルト結合、ねじ結合または溶接結合を使用することができる。
【００４２】
上述のフレームによって、供給および／または冷却システムの強度が向上する。よって、上述のフレームによって本発明の供給および／または冷却システムを壁等に取り付ける必要なく自在に、たとえば空間内に設置することもできる。
【００４３】
本発明の有利な一実施態様では、供給溝または供給管は、当該供給管または供給溝の両側かつ長手方向に配置された２つの鉛直方向の支持体によって案内される。これら２つの支持体によって、供給および／または冷却システムの両側からの安定化がなされ、その際には、高さ方向に位置調整可能な供給管または供給溝はこれら２つの鉛直方向の支持体間の中間梁として機能し、これにより供給システムの強度増大を達成することができる。さらに、本実施形態はとりわけ、供給および／または冷却システムのフレーム構造を構成するためにも適している。
【００４４】
本発明の好適な一実施形態では、少なくとも１つの鉛直方向の支持体は、媒体を導くための少なくとも１つの媒体路を備えている。たとえば電気および／または液体を送るためのこの媒体路は、有利には、少なくとも１つの鉛直方向の支持体の内部に組み込まれるが、他の実施態様では、媒体路は支持体の外部に接して、または支持体まわりに延在し、外部にてクランプにより、そのために追加的に設けられた凹部等により保持することもできる。
【００４５】
少なくとも１つの支持体の外部または内部に延在する媒体路によって、各媒体は、供給管または供給溝から離隔して設けられた媒体源から供給管または供給溝へ、またはここに設けられた駆動ユニットへ、簡単かつ確実に送ることができる。
【００４６】
また、特に中空の支持体の場合、および／またはたとえば少なくとも１つの媒体路を収容および／または保持するための外部の収容および／または保持装置を備えた支持体の場合、媒体路の設置を迅速かつ簡単に行うことができる。さらに、鉛直方向の中空支持体の内部に設置された媒体路は、たとえば降水、風または破壊行為等の外部影響から良好に保護することができる。
【００４７】
オプションとして、供給および／または冷却システムは、少なくとも１つの作用物質キャリヤおよび／または冷却長伸部材に向けられた、または向けることができる少なくとも１つの気体供給ならびに／もしくは気体排出システムおよび／またはファンシステムを備えることができる。
【００４８】
たとえば作用場所に新鮮な酸素を供給するため、または少なくとも１つの作用物質キャリヤならびに／もしくは冷却長伸部材の塵埃除去を行うため、かつ／または少なくとも１つの作用物質キャリヤにおいて物質輸送もしくは物質ならびに／もしくはエネルギー交換過程を加速化するため、気体供給システムおよび／またはファンシステムを介して、少なくとも１つの作用物質キャリヤおよび／または冷却長伸部材にたとえば空気を供給することができる。気体排出システムを用いる場合、これを介して、たとえば作用物質キャリヤの作用場所において反応時に生じた生成物質および／または有害物質を吸出することができる。
【００４９】
気体供給および／または気体排出システムは、供給および／または冷却システムの全ての想定可能な場所に、たとえば保持モジュールおよび／または少なくとも１つの鉛直方向の支持体等に設けることができる。気体供給および／または気体排出システムの最大限の有効性を維持するために重要なのは、気体供給および／または気体排出システムが少なくとも１つの作用物質キャリヤならびに／もしくは冷却長伸部材に向けられるように、かつ／または少なくとも１つの作用物質キャリヤならびに／もしくは冷却長伸部材において現在の風条件もしくは通流条件を考慮した供給流が保証されるように、供給および／または冷却システムに設けられていることのみである。
【００５０】
気体供給および／または気体排出システムは、１つまたは複数の気体供給および／または気体排出口を備えることができ、各気体供給および／または気体排出口の数、配置、大きさ、吸引圧および供給圧は、個別の事情に基づいて選択することができる。
【００５１】
供給および／または冷却システムが、少なくとも１つの作用物質キャリヤおよび／または冷却長伸部材に向けられた、または向けられ得る少なくとも１つの電気的照明装置を備えていることも、特に有利である。この照明装置は特に、進行のために光を要する作用物質キャリヤおよび／または冷却長伸部材の内部または外部におけるプロセスに関して、重要な利点を奏する。照明装置によって、作用物質キャリヤおよび／または冷却長伸部材を最大限に活用できるように、時刻および場所に依存せずに作用物質キャリヤおよび／または冷却長伸部材またはその作用場所を規定通りに照明することができる。また照明装置は、供給および／または冷却システムの可能な手入れ、保守または修繕に際しても役立ち得る。照明装置は、消毒用のＵＶ照明とすることもできる。また、その光を供給および／または冷却システムの演出のための単なる装飾手段として使用することも可能である。
【００５２】
供給システムの現在位置および光の機能に依存して、供給および／または冷却システムの種々の場所に照明ユニットを配置することができる。機能、現在位置および／または他のパラメータに依存して、照明装置が備えるランプの数、ランプの放射強度、ランプの放射角および／またはランプの照明時間を変えることができる。
【００５３】
本発明の有利な一実施形態では、少なくとも１つの作用物質キャリヤおよび／または冷却長伸部材は、供給管または供給溝の液体流出口の内部または外部および／または下方に取り付けられる。
【００５４】
特に有利なのは、作用物質キャリヤおよび／または冷却長伸部材が液体流出口に通されて供給管または供給溝内に保持されるように、作用物質キャリヤおよび／または冷却長伸部材が液体流出口に取り付けられることである。作用物質キャリヤおよび／または冷却長伸部材はたとえば、当該作用物質キャリヤおよび／または冷却長伸部材の上端部に設けられた節部を供給管または供給溝の内部に入れることによって保持することができる。本発明の他の一実施形態の供給および／または冷却システムでは、作用物質キャリヤおよび／または冷却長伸部材を保持するため、供給管または供給溝の下方に設けられた特殊な保持具、たとえばフック、ハトメまたはクランプ具等を用いることも可能である。
【００５５】
作用物質キャリヤおよび／または冷却長伸部材はそれぞれ、液体が作用物質キャリヤおよび／または冷却長伸部材に当たるように液体流出口の内部または外部および／または下方に取り付けられるべきである。このことは直接的に、または中間導液機構を介して間接的に行うことができる。たとえば、作用物質キャリヤおよび／または冷却長伸部材が液体流出口の下方もしくは外部に直接、または内部に設けられていない場合、液体を作用物質キャリヤおよび／または冷却長伸部材へ直接送る追加の導液路を、供給管または供給溝に設けることが可能である。かかる場合、たとえば供給管または供給溝の外壁に作用物質キャリヤおよび／または冷却長伸部材を液体流出口の隣に配置することもできる。
【００５６】
また、作用物質キャリヤおよび／または冷却長伸部材を追加のレールまたは棒等に設けることもでき、この追加のレールまたは棒等はたとえば、ロープまたは接続梁を用いて供給管または供給溝に接続されている。
【００５７】
作用物質キャリヤおよび／または冷却長伸部材を液体流出口の内部または外部および／または下方に近接して配置することは、特に有利であることが判明している。というのも、かかる配置によって液体の追加の送液および／または導液システムをさらに設ける必要なく、作用物質キャリヤおよび／または冷却長伸部材に液体を最適に供給できるからである。
【００５８】
しかし、液体流出口からある程度の距離をおいて作用物質キャリヤおよび／または冷却長伸部材を設けることも、ある程度の利点を奏する。このように設けることにより、少なくとも１つの作用物質キャリヤおよび／または冷却長伸部材の取付けの自由度が多くなる。さらに、かかる構成により、１つの液体流出口を介して複数の作用物質キャリヤおよび／または冷却長伸部材に液体を供給しやすくなる。液体流出口から作用物質キャリヤおよび／または冷却長伸部材までのかかる距離により、液体流出口が作用物質キャリヤおよび／または冷却長伸部材によって不必要に狭くなることがなくなり、これにより、液体は液体流出口から問題なく流出することができる。
【００５９】
本発明の他の一実施形態の供給および／または冷却システムでは、少なくとも１つの液体流出口に接続された給液路が少なくとも１つの作用物質キャリヤおよび／または冷却長伸部材に通されている。本実施形態では、給液路はたとえば、複数の孔を有するホースとして構成することができ、このホースは、ロープ状に構成された作用物質キャリヤおよび／または冷却長伸部材によって包囲されている。本態様により、給液路が供給および／または冷却システムの視覚的イメージを損なうことなく、作用物質キャリヤおよび／または冷却長伸部材に液体を十分に供給することができる。その上、供給および／または冷却システムへの給液路の面倒な取付けも行う必要がなくなる。
【００６０】
有利には、液体が供給管または供給溝から液体流出口を通って給液路内へ流れて、給液路から作用物質キャリヤおよび／または冷却長伸部材へ放出できるように、給液路は液体流出口に直接接続されている。作用物質キャリヤおよび／または冷却長伸部材自体と同様、作用物質キャリヤおよび／または冷却長伸部材は給液路と共に、供給管または供給溝の全ての想定可能な位置に設けることができる。さらに、作用物質キャリヤおよび／または冷却長伸部材は給液路と共に、供給管または供給溝から任意の距離をおいて取り付けることもできる。また、供給管または供給溝を単に給液路の設置のためにのみ使用することも可能である。その際には、給液路は給液装置に結合される。
【００６１】
本発明の有利な一実施形態では、給液装置と、少なくとも１つの作用物質キャリヤおよび／または冷却長伸部材用の長片保持具とは、互いに別体の構成要素である。かかる別体の構成では、長片保持具は、少なくとも１つの作用物質キャリヤならびに／もしくは冷却長伸部材の巻取りおよび繰出しのための、または少なくとも１つの作用物質キャリヤならびに／もしくは冷却長伸部材を折り畳むための手段の全てを備えている。このような構成により、長片保持具と作用物質キャリヤおよび／または冷却長伸部材とから構成される長片モジュールを簡単に交換することができる。その際には、長片モジュールはたとえば、交換可能な保持巻取ユニットとして構成することができる。
【００６２】
本発明のオプションの実施態様では、少なくとも１つの液体流出口に少なくとも１つの調整可能なバルブおよび／または調整可能なノズルが設けられている。このバルブによって、液体を間欠的に流出させることができ、他方、ノズルを用いることにより、液体を目標通りに、少なくとも１つの作用物質キャリヤおよび／または冷却長伸部材に集中して与えることができる。よって、少なくとも１つのバルブまたは少なくとも１つのノズルにより、作用物質キャリヤおよび／または冷却長伸部材への最適な給液を実現することができ、なおかつ液体消費量を削減することもできる。さらに、給液を作用物質キャリヤならびに／もしくは冷却長伸部材ごとに、各作用物質キャリヤならびに／もしくは冷却長伸部材の作用の仕方、各作用物質キャリヤならびに／もしくは冷却長伸部材の要求および異なる周囲条件に合わせて、特に温度状況や天候状況に合わせて調整することもできる。
【００６３】
本発明の他の有利な一実施形態の供給および／または冷却システムでは、供給管または供給溝から鉛直方向に距離をおいて少なくとも１つの安定化要素が設けられており、この安定化要素に少なくとも１つの作用物質キャリヤならびに／もしくは冷却長伸部材が取り付けられ、かつ／または安定化要素に少なくとも１つの作用物質キャリヤならびに／もしくは冷却長伸部材が通されている。
【００６４】
安定化要素はたとえば、棒または管の形状とすることができる。安定化要素を保持するためには、作用物質キャリヤならびに／もしくは冷却長伸部材を安定化要素に巻き付けることができ、または作用物質キャリヤならびに／もしくは冷却長伸部材が巻き付けられて結びつけられることにより安定化要素を固定することができる。
【００６５】
また安定化要素は、少なくとも１つの作用物質キャリヤおよび／または冷却長伸部材を通す開口を備えることもできる。その際には、安定化要素はかかる開口内に、作用物質キャリヤおよび／または冷却長伸部材に固定するためのクランプ状の保持具を備えることができる。また、作用物質キャリヤおよび／または冷却長伸部材の抜け落ちを防止するため、作用物質キャリヤならびに／もしくは冷却長伸部材は幅太部を有するか、または安定化要素の開口より大きい付着された保持部を有することも可能である。
【００６６】
さらに、少なくとも１つの作用物質キャリヤおよび／または冷却長伸部材を安定化要素に固定し得る場所となる少なくとも１つのフックまたは少なくとも１つの取付要素を、安定化要素に設けることも可能である。
【００６７】
安定化要素は、垂下する長く伸びるように形成された作用物質キャリヤならびに／もしくは冷却長伸部材の下端部に、または作用物質キャリヤならびに／もしくは冷却長伸部材の他の適切な位置に設けることができる。さらに、作用物質キャリヤおよび／または冷却長伸部材に、互いに離隔した複数の安定化要素を設けることもできる。
【００６８】
安定化要素は第一に、周辺から供給および／または冷却システムへ伝達される流れエネルギー、特に少なくとも１つの作用物質キャリヤおよび／または冷却長伸部材へ伝達される流れエネルギーを受けるために供されるものである。
【００６９】
供給および／または冷却システムが天候にさらされる場合には、安定化要素を使用することによって供給および／または冷却システムの耐風性を向上させることができ、これによって供給および／または冷却システムの損傷、特に少なくとも１つの作用物質キャリヤおよび／または冷却長伸部材の損傷を最小限にすることができる。安定化要素を用いて少なくとも１つの作用物質キャリヤおよび／または冷却長伸部材に重みを付けることにより、作用物質キャリヤおよび／または冷却長伸部材は自己の垂下位置に十分に固定され、特に、隣り合って垂下する作用物質キャリヤおよび／または冷却長伸部材が絡まることが防止される。
【００７０】
特に有利なのは、少なくとも２つの作用物質キャリヤおよび／または冷却長伸部材を安定化要素によって互いに接続することである。少なくとも２つの作用物質キャリヤおよび／または冷却長伸部材を少なくとも１つの安定化要素によって接続することにより、供給および／または冷却システムの機械的安定性が向上し、作用物質キャリヤおよび／または冷却長伸部材が絡まることが阻止される。
【００７１】
有利には、安定化要素は棒または管として構成され、供給管または供給溝に対して平行に、かつこれから距離をおいて配置されている。かかる構成により、供給管または供給溝に平行に懸架する少なくとも２つの作用物質キャリヤおよび／または冷却長伸部材はそれぞれ、たとえば自由に垂下する長片端部で棒状もしくは管状の安定化要素に取り付けることができ、またはかかる安定化要素に通すことができる。両作用物質キャリヤおよび／または冷却長伸部材を１つの安定化要素に取り付けることにより、作用物質キャリヤおよび／または冷却長伸部材は互いに結合され、なおかつ、これらの相互間の距離は固定される。
【００７２】
さらに、少なくとも２つの作用物質キャリヤおよび／または冷却長伸部材を、互いに離隔された複数の安定化要素によって互いに接続することもできる。その際には、各安定化要素をそれぞれ異なる構成とすることができる。たとえば、各安定化要素が作用物質キャリヤおよび／または冷却長伸部材をそれぞれ異なる風方向に対して安定化するように、安定化要素を構成することができる。さらに、各安定化要素がたとえば蓄液等の他の追加の役割も果たせるように、各安定化要素を構成することもできる。
【００７３】
他の有利な一実施形態の供給システムでは、安定化要素は少なくとも１つの鉛直方向の支持体の少なくとも内部または外部にて案内される。こうするためには、少なくとも１つの鉛直方向の支持体が、安定化要素を案内および保持できる少なくとも１つの鉛直方向のガイドレールを備えることができる。このように鉛直方向の支持体で安定化要素を案内および保持することにより、供給システムの耐風性をさらに向上させることができる。
【００７４】
有利には、少なくとも１つの作用物質キャリヤおよび／または冷却長伸部材は、少なくとも１つのフィルタ材料、および／または複数の孔を有する少なくとも１つの材料および／または少なくとも１つの触媒材料および／または吸湿性ならびに／もしくは保湿性もしくは吸水性の材料および／または蓄冷材および／または蓄熱材および／または少なくとも１つの栄養物質および／または少なくとも１つの反応性表面および／または接着表面を有し、または担持する。その際には、作用物質キャリヤならびに／もしくは冷却長伸部材は完全に、上記材料のうち１つまたは複数から構成されることができ、または作用物質キャリヤならびに／もしくは冷却長伸部材は部分的にのみ、たとえば表面または表面の一部にのみ、上記材料を含むことができる。
【００７５】
作用物質キャリヤおよび／または冷却長伸部材はたとえば、周囲媒質からの有害物質をフィルタリングし、または無毒化できるように選定することができる。本発明の一実施態様の供給および／または冷却システムでは、作用物質キャリヤの多機能性を達成するため、複数の異なる作用物質を、複数の互いに離隔された作用場所に設けることもできる。
【００７６】
特に有利なのは、少なくとも１つの作用物質キャリヤの作用場所に種および／または植物を設けることである。その際には、種および／または植物の他にさらに、作用物質キャリヤの作用場所にそれぞれ、種および／または植物が成長できる少なくとも１つの培地を設けることが好ましい。種または植物を少なくとも１つの作用物質キャリヤの表面に設け、またはその内部に入れることにより、供給システムをたとえば都市地域の緑化に使用することができる。このことは同時に、都市地域の空気改善および美化にも寄与する。
【００７７】
本発明では、供給管または供給溝に多数の作用物質キャリヤを隣り合わせて懸架することができるので、本実施形態によって「吊下げ型ガーデン」を実現することができる。これは特に、家屋ファサード等の美化に適している。
【００７８】
種および植物を、少なくとも１つの作用物質キャリヤの互いに離隔した複数の作用場所の表面または内部に設けることにより、その植物は、当該作用物質キャリヤにおける距離によって調整可能な相互間の影響無しで、またはかかる影響により、最適に成長することができ、これにより奇形成長または成長不足を防止することができる。また、種および植物への給液も、最適な成長条件の達成に寄与する。かかる場合、液体はたとえば水および／または肥料とすることができる。液体は、交代でまたは同時に、間欠的または連続的に、作用物質キャリヤへ供給され得る。有利には、液体の種類および量は、使用される種および／または植物の個別条件に応じて選択され、調整される。
【００７９】
種または植物は、ロープまたはホースとして構成された作用物質キャリヤを延ばすことにより、作用物質キャリヤ内に直接入れることができ、または、種もしくは植物ポケット、垂片またはベルトを作用物質キャリヤに、または作用物質キャリヤまわりに設けることによって種または植物を設けることができる。これに関しては、たとえば留め輪等の追加の取付要素を用いて、種もしくは植物ポケット、垂片またはベルトを作用物質キャリヤに取り付けることもできる。
【００８０】
作用物質キャリヤは種または植物の他に、植物の根形成を最適に支援するための培地を備えることもできる。培地としてはたとえば、植物土壌または不織布を使用することができる。
【００８１】
特に有利には、供給および／または冷却システムは少なくとも１つの建物ファサードおよび／または少なくとも１つの建物屋根を覆い、かつ／または天井もしくは天井支持材に取り付けられる。供給および／または冷却システムの構造的構成をこのように簡単かつ個別に成し得ることにより、供給および／または冷却システムを非常に異なる設置場所に設けることができる。
【００８２】
たとえば、保持モジュールのみから構成された供給および／または冷却システムは、天井または天井支持材に簡単に取り付けることができる。この天井取付型の供給および／または冷却システムは、間仕切りとして使用することができ、または装飾造形のために壁に直接設けることができる。ここで、天井または天井支持材の支持能力が制限されていることに鑑みると、鉛直方向の支持体を無くすことが有利となり得るが、いかなる理由であっても常に、天井取付けの際にも、鉛直方向の支持体を使用することは可能である。
【００８３】
長く伸びるように形成された少なくとも１つの作用物質キャリヤおよび／または冷却長伸部材を少なくとも部分的に巻き取るための巻取装置が少なくとも１つの作用物質キャリヤおよび／または冷却長伸部材の上端部および／または下端部に設けられている場合、本発明の供給および／または冷却システムの大きさを実際の条件に応じて変化させることができる。巻取装置はたとえば、少なくとも１つの作用物質キャリヤおよび／または冷却長伸部材を巻き付けたり少なくとも１つの作用物質キャリヤおよび／または冷却長伸部材を繰り出す、水平方向の巻取ローラを備えることができる。しかし基本的には、巻取装置を供給および／または冷却システムの少なくとも片側に設けることも可能である。巻取装置はたとえば、供給および／または冷却システムのフレームまたは保持モジュールの外側または内側に統合することができる。巻取装置は、自動または手動で作動可能なものとすることができる。
【００８４】
本発明の他の一実施例では、供給および／または冷却システムは少なくとも１つの風センサまたはフローセンサを備えている。風センサによって風強度の増大が測定された場合、たとえば、風強度が大きくても供給および／または冷却システムの安全性および／または設置安定性を保証できるようにするため、少なくとも１つの作用物質キャリヤおよび／または冷却長伸部材を固定し、または巻き取ることができる。
【００８５】
本発明の一実施形態において少なくとも１つの作用物質キャリヤおよび／または冷却長伸部材が供給および／または冷却システムの撒水装置内に垂下している場合、下方から少なくとも１つの作用物質キャリヤおよび／または冷却長伸部材に液体を供給することもできる。こうするためにはたとえば、少なくとも１つのノズルを介して、かつ／または霧化技術を使用して、液体を下方から少なくとも１つの作用物質キャリヤおよび／または冷却長伸部材に噴霧し、またはこれを霧状に覆うことができる。撒水装置はたとえば、少なくとも１つの作用物質キャリヤおよび／または冷却長伸部材の下方に設けられた、液体が充填されたまたは液体が充填可能な溝とすることができ、この溝内に、少なくとも１つの作用物質キャリヤおよび／または冷却長伸部材を浸漬させることができる。
【００８６】
特に有利なのは、少なくとも１つの作用物質キャリヤおよび／または冷却長伸部材が少なくとも１つの殺虫性繊維および／または少なくとも１つの静菌性繊維から構成され、かつ／または少なくとも１つの静菌性繊維材料を含むことである。このようにして、少なくとも１つの作用物質キャリヤおよび／または冷却長伸部材において不所望の藻および／または植物および／または細菌の繁殖を回避することができ、または少なくとも抑制することができる。
【００８７】
少なくとも１つの作用物質キャリヤおよび／または冷却長伸部材が少なくとも１つのガーゼ織物から構成され、かつ／またはガーゼ織物に埋め込まれていると、本発明の供給および／または冷却システムを有利に製造することができる。ガーゼ織物はｘ方向とｙ方向とに織り込まれており、これらの軸の方向においては剛性であり、すなわち全くまたはほとんど延性がなく、これらの軸に対して斜めの方向においては延ばすことができるという利点を有する。よってかかる繊維では、たとえば作用物質を作用物質キャリヤに簡単に埋め込む処理をすることができ、なおかつ、作用物質をかかる作用物質キャリヤにおいて確実に保持することができる。ガーゼ織物のガーゼ構造は、作用物質キャリヤおよび／または冷却長伸部材の構造が潰れるのを阻止し、また、風荷重下においても同じ構造特性を保持するので、過程および不具合の予測を導出することができる。
【００８８】
供給および／または冷却システムを建物ファサードまたは建物屋根に適切に設置できるようにするために有利なのは、供給および／または冷却システムが保持モジュールと２つの鉛直方向の支持体とから構成されることであるが、他の構成とすることも可能である。その際には、供給および／または冷却システムは建物ファサード全体および／または建物屋根全体にわたって延在することができ、またはその一部のみを覆うことができる。
【００８９】
他の一実施態様では、供給および／または冷却システムは自立型であり、供給および／または冷却システムは床または地面に直接固定され、または固定可能であり、かつ／または土台を用いて床または地面に沿って可動となっている。その際には、土台を台部または壇部とすることができる。また、戸棚状または開放棚状に構成することもでき、その際には、この開放棚または戸棚は移動のための車輪を備えることができる。よって、このような移動可能な自立型の構成の供給および／または冷却システムは、たとえばフレキシブルな間仕切りとして使用することができる。
【００９０】
さらに、供給および／または冷却システムを浄水槽の底、天井および／または壁に設けることもできる。その際には、適した作用物質を使用することにより、供給および／または冷却システムは浄水の浄化のために役立つことができる。
【００９１】
本発明の有利な実施形態、その構成、機能および利点について、以下図面を参照して詳細に説明する。
【図面の簡単な説明】
【００９２】
【図１】本発明の可能な一実施形態の供給および／または冷却システムの概略的な正面図である。
【図２】本発明の供給および／または冷却システムの供給溝に取り付けられる一態様の作用物質キャリヤおよび／または冷却長伸部材の概略的な側面図である。
【図３】本発明の供給および／または冷却システムの安定化要素への作用物質キャリヤおよび／または冷却長伸部材の取付態様を示す概略図である。
【図４】本発明の一実施例の供給および／または冷却システムの正面側の概略的な断面図である。
【図５】本発明の供給および／または冷却システムの保持モジュールの一実施態様の概略的な正面図である。
【図６】本発明の供給および／または冷却システムの供給溝に取り付けられる一形態例の作用物質キャリヤおよび／または冷却長伸部材の概略的な正面図である。
【図７】本発明の供給および／または冷却システムに取り付けられる他の一態様の作用物質キャリヤおよび／または冷却長伸部材の概略的な正面図である。
【００９３】
図１は、本発明の可能な一実施形態の供給および／または冷却システム１の概略的な正面図である。
【００９４】
図１に示された実施形態では供給および／または冷却システム１は、液体３１を受けるための供給溝３を備えている。本発明の他の一実施形態では、供給溝３に代えて供給管を使用することもできる。さらに本発明の他の態様では、供給および／または冷却システム１は、液体を受けるための１つより多くの供給溝３または１つより多くの供給管を備えることも可能である。
【００９５】
図１の実施例では、供給溝３は供給システム１の保持モジュール４２に保持される。この保持モジュール４２は鉛直方向には非可動であるが、水平方向には可動に構成することができる。図１の実施例では、供給溝３は取付システム５１を用いて保持モジュール４２に取り付けられている。取付システム５１は引出可能であり、図１の実施例ではロープ巻取構造を有する。よって、取付システム５１によって、これに取り付けられた供給溝３を鉛直方向に移動させることができる。
【００９６】
図１の供給および／または冷却システム１は、供給溝３を鉛直方向に移動させるために駆動ユニット５を備えている。この駆動ユニット５は、手動操作可能なクランクとすることができ、または自動駆動システムとすることもできる。
【００９７】
図１の供給システム１の実施形態では、保持モジュール４２は供給および／または冷却システム１のフレーム構造の一部であり、このフレーム構造は台部４３と、当該台部４３に取り付けられた２つの鉛直方向のスタンドとして機能する支持体４と、鉛直方向の支持体４の上端部に設けられた保持モジュール４２とによって構成される。
【００９８】
他の実施形態の供給および／または冷却システム１が備える鉛直方向の支持体４は、１つのみまたは２つより多くすることができ、または鉛直方向の支持体４を全く備えないことも可能である。たとえば、三脚のような支持体４を１つだけ、供給および／または冷却システム１の中央に、有利には、供給および／または冷却システム１に設けられた作用物質キャリヤ２および／または冷却長伸部材の裏側に設けることができる。この作用物質キャリヤ２については、以下詳細に説明する。さらに、本発明の他の態様では、１つまたは複数の鉛直方向の支持体４を１つもしくは複数の壁、１つもしくは複数の管、１つもしくは複数の樹木または１つまたは複数の橋柱の形態とすることもできる。また、本発明の他の実施形態では、台部４３を省略することもでき、または台部４３を固定もしくは可動の戸棚として、固定もしくは可動の開放棚として、または壇部として構成することもできる。
【００９９】
鉛直方向の支持体４は、図１の実施例では供給溝３の両側において延在している。両支持体４は、供給溝３の長手方向ｘにおいて互いに離隔して設けられており、図１の実施例では、供給溝３の一端部３３ａ，３３ｂにそれぞれ結合されている。
【０１００】
供給溝３は両端部３３ａ，３３ｂにおいて、支持体４の外部または支持体４の内部に設けられたガイド４１に保持されて案内される。このガイド４１に沿って供給溝３を上下に移動させることができる。図示の実施形態では、供給溝３は水平方向（長手方向ｘ）においては常時止まっている。
【０１０１】
また、供給溝３には、当該供給溝３の長手方向ｘにおいて互いに離隔している、長く伸びるように形成された複数の作用物質キャリヤ２が垂下するように取り付けられている。本発明の他の実施形態では、供給溝３から、または供給管から１つの作用物質キャリヤ２のみ、および／または１つもしくは複数の冷却長伸部材を垂下させることもできる。その際には、冷却長伸部材は作用物質キャリヤ２と同一の構造を有し、同一の材料から成ることができ、同一位置に設け、同様に取り付け、供給および／または冷却システム１の他の構成要素に同様に結合することができる。作用物質キャリヤ２は、互いに離隔している作用場所２１を有する。
【０１０２】
作用物質キャリヤ２および／または冷却長伸部材は、ベルト、縄、ロープ、コード、紐および／またはチェーンの形態とすることができる。長く伸びるように形成された作用物質キャリヤおよび／または冷却長伸部材はそれぞれ一個体から作製することができ、または長く伸びるように形成された複数の個別部品を組み合わせて１つの長片にすることもできる。さらに、想定可能のみであるあらゆる材料から成ることもできる。
【０１０３】
図１に示されている実施例では、作用物質キャリヤ２は延性のホース材料から成り、互いに離隔している各作用場所２１は、このホース材料を局所的に延ばして、延びたこの部分に作用物質を導入することにより構成されている。特に、図１の供給および／または冷却システム１には、作用場所２１に設けられた作用物質はそれぞれ、種または少なくとも１つの植物がそれぞれ植え込まれた植物培地から、たとえば土壌から成る。良好な配置対称性を達成するためには、図１の実施例では、作用物質キャリヤ２の場合において作用場所２１をそれぞれ相互に等間隔に設ける。作用物質キャリヤ２が直接隣り合って垂下している場合には、各作用場所２１を均等に互いにずらして設けることも好ましいものとなり得る。
【０１０４】
本発明の他の実施形態では、作用場所２１に他の作用物質を設けることもできる。また作用物質は、互いに距離をおいて１つまたは複数の作用物質キャリヤ２に設ける必要もなく、作用物質キャリヤ２の材料の外部もしくは内部に取り付け、もしくは導入することもでき、または作用物質キャリヤ２の材料自体によって構成することもできる。
【０１０５】
たとえば本発明の他の実施形態の供給および／または冷却システム１では、１つまたは複数の作用物質キャリヤ２および／または冷却長伸部材を触媒材料および／またはフィルタ材料から構成することもできる。
【０１０６】
図１の供給および／または冷却システム１では、作用物質キャリヤ２の自由に垂下している下端部に、作用物質キャリヤ２および／または冷却長伸部材の相互間の結合、固定および重み付けを行うための安定化要素７が設けられている。この安定化要素７は図１の実施形態では、供給および／または冷却システム１の長手方向ｘにおいて水平方向に延在する棒によって構成されているが、管によって、または細長い成形品によって構成することもできる。
【０１０７】
安定化要素７は、図１に示されている実施例では、互いに離隔されている複数の開口を有し、この開口に作用物質キャリヤ２および／または冷却長伸部材が通される。この開口については、図３ａにより詳細に例示されている。この安定化要素７は、作用物質キャリヤ２および／または冷却長伸部材の端部かつ当該安定化要素７の下方に設けられた節部１０によって保持される。しかし、作用物質キャリヤ２および／または冷却長伸部材に設けられるフック、締結具または幅太部によって、安定化要素７を保持することも可能である。
【０１０８】
さらに、図１の実施例では、作用物質キャリヤ２および／または冷却長伸部材の、供給溝３と安定化要素７との間の場所に、他の安定化要素７’も設けられている。この他の安定化要素７’は第一に、外部から作用物質キャリヤ２および／または冷却長伸部材の長さに作用する空気流を受けて、供給および／または冷却システム１の全体構成を安定化するために供される。安定化要素７’によって作用物質キャリヤ２および／または冷却長伸部材は、端部に設けられた安定化要素７の他にさらに、当該作用物質キャリヤ２および／または冷却長伸部材の長さの中間領域において互いに結合され、その相互間の位置および距離が固定される。このことによって、作用物質キャリヤ２の動き自由度が制限され、たとえば作用物質キャリヤ２および／または冷却長伸部材が絡まるのを防止することができる。
【０１０９】
安定化要素７，７’は、丸形、楕円形もしくは多角形の断面、またはたとえばＣ字形もしくはＶ字形等の線形状のみを有することもできる。さらに、安定化要素７，７’は必ずしも個々の作用物質キャリヤ２および／または冷却長伸部材を互いに結合する必要はなく、作用物質キャリヤ２ごとにそれぞれ別個の安定化要素７が設けられるように構成することも可能である。こうするためには安定化要素７，７’は、球、リング、直方体、柱体、角錐体または他の任意の形状で形成することができる。その際に有利なのは、安定化要素７，７’が作用物質キャリヤ２ならびに／もしくは冷却長伸部材を通すための孔、または作用物質キャリヤ２ならびに／もしくは冷却長伸部材を掛けることができる保持要素、もしくは他の態様により取り付けることができる保持要素を備えることである。
【０１１０】
安定化要素７，７’の他に、作用物質キャリヤ２および／または冷却長伸部材の長さに応じてさらに他の安定化要素７’を当該作用物質キャリヤ２および／または冷却長伸部材の長さにおいて分布させて当該作用物質キャリヤ２および／または冷却長伸部材に設けることもできる。
【０１１１】
供給溝３（または本発明の他の実施形態では供給管）は、給液装置６に結合されている。給液装置６と、これに結合されている供給溝３（ないしは供給管）とを介して、作用物質キャリヤ２および／または冷却長伸部材に液体３１が、たとえば水または栄養物質溶剤が供給される。こうするためには、供給溝３の溝底の、作用物質キャリヤ２および／または冷却長伸部材が当該供給溝３に取り付けられている場所に、液体流出口３２が設けられている。給液装置６を介して供給溝３内に導入された液体３１は、この液体流出口３２を通過して作用物質キャリヤ２および／または冷却長伸部材へ流れ、または滴下することができる。
【０１１２】
給液装置６は、たとえば管またはホースの形態の少なくとも１つの給液路を備えることができる。これは、図１において概略的に示されているように供給溝３に連通して、たとえば上方または側方から供給溝３に充填する。給液路は、図１の実施例のように、鉛直方向の支持体４のうち片方または双方の外部または内部において、下方から上方へ供給溝３に向かって延在することができる。
【０１１３】
図１の供給および／または冷却システム１では、台部４３において鉛直方向の支持体４の下端部に、給液路とたとえば図示されていない給液容器または水路とを結合できる接続場所６１が設けられている。給液容器または水路がどこに設けられているかに依存して、または（１つまたは複数の）給液路が供給および／または冷却システム１にどのように設けられているかに依存して、接続場所６１を供給および／または冷却システム１の他のいずれの場所にも配置することができる。
【０１１４】
図１に示されている実施例では、作用物質キャリヤ２および／または冷却長伸部材を備えた供給溝３が設けられている保持モジュール４２には、照明装置８が設けられている。概略的にのみ示されているこの照明装置８の向きは、作用物質キャリヤ２および／または冷却長伸部材に、特に作用物質キャリヤ２に生えている植物に、照明装置８から送出された放射を照射できるように調整されており、または調整可能となっている。
【０１１５】
さらに、供給および／または冷却システム１は図中の構成では、気体供給および／または気体排出システム９も備えている。気体供給および／または気体排出システム９によってたとえば、作用物質キャリヤ２および／または冷却長伸部材の制御下での新気供給および／または使用済み空気の排気を実現することができる。この気体供給および／または気体排出システム９はたとえば、作用物質キャリヤ２および／または冷却長伸部材を洗浄するための、かつ／または吹出しによって供給および／または冷却システム１を分けるための少なくとも１つのファンも備えることができる。
【０１１６】
気体供給および／または気体排出システム９は、図１に示されている態様では、保持モジュール４２に取り付けられた２つの気体供給・排出口を備えている。他の実施形態では、気体供給および／または気体排出システム９は１つの気体供給ならびに／もしくは気体排出口のみを備えることも可能であり、または２つより多くの気体供給ならびに／もしくは気体排出口を備えることも可能であり、これらの気体供給および／または気体排出口は任意の径を有することができ、また、それぞれ異なる気体供給および／または気体排出システムに結合することもできる。さらに、気体供給および／または気体排出口を台部４３または鉛直方向の支持体４に設けることも可能である。
【０１１７】
図２は、図１の供給および／または冷却システム１のような、本発明の供給および／または冷却システムの供給溝３に取り付けられる一態様の作用物質キャリヤ２および／または冷却長伸部材の概略的な側面図である。図１と同一の符号は同一の構成要素を示しているので、これについては、当該構成要素の上述の説明を参照されたい。
【０１１８】
図２に示された作用物質キャリヤ２および／または冷却長伸部材は、供給溝３の溝底領域３０に設けられた液体流出口３２に通されて、作用物質キャリヤ２および／または冷却長伸部材に設けられた節部１１によって上方から供給溝３内にて保持される。
【０１１９】
供給溝３に液体３１が少なくとも部分的に充填されている場合、作用物質キャリヤ２および／または冷却長伸部材も液体３１と接触し、これにより、液体は作用物質キャリヤ２および／または冷却長伸部材に沿って、特にその作用場所２１まで伝っていくことができる。
【０１２０】
本発明の他の一態様では、作用物質キャリヤ２および／または冷却長伸部材を供給溝３の溝縁部３４から当該供給溝３内部に入れて保持することもできる。また、たとえばフックまたはハトメを用いて作用物質キャリヤ２および／または冷却長伸部材を供給溝３の外部で保持することも可能である。さらに、たとえば棒等の追加的な保持部を供給溝３に設けて、当該追加的な保持部が作用物質キャリヤ２および／または冷却長伸部材を保持することにより、作用物質キャリヤ２および／または冷却長伸部材を供給溝３に間接的に取り付けることも可能である。
【０１２１】
図２に示されている実施例では、供給溝３は半円状の断面を有するが、他の態様では、供給溝３は三角形、方形または楕円形の断面を有することもできる。また、上述の開放した供給溝３に代えて、上記にて既に説明したように、周面が閉じられた供給管を使用することもできる。
【０１２２】
図３ａおよび図３ｂは、図１の供給および／または冷却システム１のような本発明の供給および／または冷却システムの作用物質キャリヤ２および／または冷却長伸部材を安定化要素７に取り付ける態様を概略的に示す。同図中、図１および図２と同一の符号は同一の構成要素を示している。これらの構成要素については、上述の説明を参照されたい。
【０１２３】
図３ａでは、作用物質キャリヤ２および／または冷却長伸部材の自由に垂下している端部が、安定化要素７に設けられている開口１０’に通され、安定化要素７の、当該端部を取り付け得る側を介して、供給溝３または供給管に向かう方向に戻されることにより、安定化要素７まわりに輪２２が形成され、安定化要素７はこの輪２２に通された状態で作用物質キャリヤ２および／または冷却長伸部材に保持される。
【０１２４】
図３ｂの実施例では、安定化要素７にフック１０’’が設けられており、安定化要素７はこのフック１０’’で、作用物質キャリヤ２および／または冷却長伸部材によって形成されたループ２３に掛けられている。より太い作用物質キャリヤ２の場合、および／または作用物質キャリヤ２ならびに／もしくは冷却長伸部材がチェーンとして構成されている場合には、ループを形成する必要なく、フック１０’’を作用物質キャリヤ２ならびに／もしくは冷却長伸部材の材料または作用物質キャリヤ２ならびに／もしくは冷却長伸部材のチェーンリングに直接通すことも可能である。
【０１２５】
安定化要素７を少なくとも１つの作用物質キャリヤ２および／または冷却長伸部材に結合する他の一手段が、たとえば図１に示されている。この他の一手段では、安定化要素７の開口１０’に通された作用物質キャリヤ２および／または冷却長伸部材は、当該安定化要素に通された端部において節部１０または他の幅太部を有し、または安定化要素７の開口１０’の径より大きい径を有する、別個に設けられる要素を備える。かかる構成は、他の安定化要素７’を作用物質キャリヤ２および／または冷却長伸部材に取り付けるためにも適している。
【０１２６】
作用物質キャリヤ２および安定化要素７を適切な構成とすることにより、溶接、はんだ付け、接着または剥離可能な付着テープを用いて安定化要素７，７’と作用物質キャリヤ２とを互いに結合できる場合もある。安定化要素７，７’はまた、少なくとも１つの作用物質キャリヤ２および／または冷却長伸部材を埋め込んでキャスト成形した棒状のキャスト成形体として、たとえば合成樹脂製のキャスト成形体として形成することもできる。
【０１２７】
図４は、本発明の一実施形態の供給および／または冷却システム１’の正面側の概略的な断面図である。同図中、既に上記にて使用された符号は同一の構成要素を示しており、かかる構成要素については上記説明を参照されたい。
【０１２８】
図４には、鉛直方向の支持体４と保持モジュール４２とに媒体路が設けられているのが示されている。これらの媒体路のうち１つは、鉛直方向の支持体４に収容されている給液路６３であり、これは、上述の給液装置６の一部であり、液体３１を供給溝３内へ排出する。本発明の供給および／または冷却システム１，１’の図示されていない他の実施形態では、給液路６３を供給および／または冷却システム１，１’の上方または裏側に設けることもできる。
【０１２９】
鉛直方向の支持体４と保持モジュール４２とに設けられた少なくとも１つの他の媒体路は、電線６２である。この電線６２を介して、たとえば照明装置８、気体供給および／または気体排出装置９および／または駆動ユニット５’、たとえば少なくとも１つのモータ等、および／または供給および／または冷却システム１’の電気的構成要素の制御部に、給電することができる。供給および／または冷却システム１の外部または内部に取り付けられた構成要素と、その配置とに依存して、媒体路６２，６３の延在経路およびその有無を変えることができる。空気圧式または液圧式の駆動ユニット５を使用する場合には、さらに液圧路または空気圧路が供給および／または冷却システム１，１’に設けられる。
【０１３０】
媒体路６２，６３は有利には、１つもしくは複数の鉛直方向の支持体４および／または保持モジュール４２および／または台部４３に沿って、またはこれを通過して延在する。
【０１３１】
供給および／または冷却システム１’は電気的駆動ユニット５’を備えており、これは、鉛直方向に移動可能な供給溝３に結合されている。こうするためには、供給溝３は、制御下で駆動ユニット５’から引出可能なロープ、ベルトまたはチェーン５１を用いて駆動ユニット５’に取り付けられている。駆動ユニット５’は保持モジュール４２の内部に設けることができるが、別個の部品として供給システム１’に設けることも可能である。図４の実施例にて示されているように、駆動ユニット５’に接続された引出可能な少なくとも２つのロープ、ベルトまたはチェーンに供給溝３を懸架すると、供給溝３の安定的な懸架のために有利である。
【０１３２】
しかし、上記にて既に述べたように他の実施形態では、鉛直方向の支持体４に設けられたガイド４１を介して供給溝３または供給管を保持し、鉛直方向に移動させることも可能である。かかる場合、駆動ユニット５，５’は有利には、鉛直方向の支持体のうち少なくとも１つに設けられる。
【０１３３】
有利には保持モジュール４２に設けられる少なくとも１つの鉛直方向のガイドレールを設けることも可能であり、これは、供給および／または冷却システム１，１’の全高にわたって延在し、このガイドレールに供給溝３または供給管に保持して案内することができる。
【０１３４】
図５は、本発明の一実施形態の供給および／または冷却システム１，１’の保持モジュール４２の一実施態様の概略的な正面図である。同図中においても、既に使用された符号は、上記図と同一の構成要素を示している。
【０１３５】
図５の保持モジュール４２は特に、本発明の屋外設置可能な一実施形態の供給および／または冷却システム１，１’に適している。そのためには、保持モジュール４２上に、上方向に開放された降水用の集液容器４３が設けられている。有利には、降水を集液容器４３によって受けることができるように、集液容器４３の少なくとも一部が上方向に開放されている。その後、この降水はたとえば、上述の給液装置６へ流出して供給溝３へ供給されることができ、供給溝３を介して少なくとも１つの作用物質キャリヤ２および／または冷却長伸部材に給水することができる。
【０１３６】
特に、作用物質キャリヤ２に種および／または植物が設けられている場合、上述の供給により、この種および／または植物に低コストの給水を実現することができる。
【０１３７】
図５に示された実施例では、集液容器４３は保持モジュール４２の寸法とほぼ等しい寸法を有するが、保持モジュール４２より大きくすること、または小さくすることも可能である。
【０１３８】
さらに、供給および／または冷却システム１，１’に接する屋根面を降水の収集のために利用して、当該屋根面によって追加的に収集された降水が集液容器４３へ簡単に送られるようにすることも可能である。非常に大量の降水を受けて貯蔵できるようにもするためには、追加のバッファを設けて、使用されない降水をこのバッファに一時的に貯蔵し、かつ／またはこの追加のバッファによって過剰な降水を排出することができる。
【０１３９】
図６は、本発明の一実施形態の供給および／または冷却システム１，１’の供給溝３に取り付けられる一応用例の作用物質キャリヤ２の概略的な正面図である。同図においても、既に使用された符号は、上記図と同一の構成要素を示している。
【０１４０】
図６に示されている実施例では、作用物質キャリヤ２に液体３１を最大限に供給できるように、給液路６３が作用物質キャリヤ２内に通されている。こうするために特に有利なのは、作用物質キャリヤ２および／または冷却長伸部材をホースとして構成することにより、給液路６３を作用物質キャリヤホースまたは冷却長伸部材ホース内に単に挿入することができるようにすることである。給液路６３は有利には、複数の孔を有するホースから成り、液体３１はこの孔を通過して作用物質キャリヤ２および／または当該作用物質キャリヤ２の２１の作用場所に達することができる。
【０１４１】
給液路６３を有する作用物質キャリヤ２および／または冷却長伸部材は、図２に概略的に例示されている液体流出口３２に押し入れて、液体流出口３２にて保持することができる。また、液体流出口３２に、作用物質キャリヤ２および／または冷却長伸部材を保持するための少なくとも１つの取付要素を、たとえばクランプまたはフック等を設けることも可能である。
【０１４２】
作用物質キャリヤ２および／または冷却長伸部材は、必ず液体流出口３２内から、または液体流出口３２の下方に直接垂下させなければならないものではなく、液体３１が液体流出口３２を介して作用物質キャリヤ２および／または冷却長伸部材に達することが可能であることが保証される限りにおいて、作用物質キャリヤ２および／または冷却長伸部材を液体流出口３２から離隔して設けることも可能である。このことはたとえば、供給溝３または供給管を斜めに立てることによって、または適切な流路により実現することができる。
【０１４３】
給液装置６は、滴下給湿、噴霧給湿、および少なくとも１つの作用物質キャリヤ２ならびに／もしくは冷却長伸部材の給湿を行うための他の給湿手段のために構成し、かつ／または使用することができる。
【０１４４】
少なくとも１つの作用物質キャリヤ２および／または冷却長伸部材または供給ならびに／もしくは冷却システム１，１’の他の組付部品は、当該供給および／または冷却システム１，１’の他の構成要素から簡単に分離すること、すなわち簡単に交換することができるように構成し、かつ／または取り付けることができる。
【０１４５】
少なくとも１つの作用物質キャリヤ２および／または冷却長伸部材および／または供給ならびに／もしくは冷却システム１，１’の他の組付部品は、操作装置および／または操作制御部を用いて巻き取り、互いに入れ子に挿入し、かつ／または嵌めてまとめることができる。
【０１４６】
図７は、本発明の一実施形態の供給および／または冷却システム１，１’の、供給溝３に取り付けられた作用物質キャリヤ２および／または冷却長伸部材の他の態様の概略的な正面図である。同図中においても、上記図と同一の符号は上記図と同一の構成要素を示しており、かかる構成要素については上記説明を参照されたい。
【０１４７】
図７の実施例では、図２にて例示されている供給溝３の液体流出口３２に、作用物質キャリヤ２および／または冷却長伸部材への液体３１の流出を開ループ制御ないしは閉ループ制御するためのバルブ６４が設けられている。このバルブ６４を用いて、たとえば、作用物質キャリヤ２の各作用物質の要求に合わせて給液を最適に調整できるように通過量および／または通過時間を制御することができる。
【０１４８】
本発明の他の実施形態は、バルブ６４に代えて、またはバルブ６４と共に、給液圧を制御するためのノズルを液体流出口３２に備えることもできる。これにより、短時間以内で大量の液体を作用物質キャリヤ２および／または冷却長伸部材へ流出させることができる。
【０１４９】
バルブ６４またはノズルを使用する場合、図７に示された実施例とは異なって、作用物質キャリヤ２および／または冷却長伸部材を液体流出口３２に直接設ける必要はなく、液体流出口３２から離隔して設けることも可能である。かかる場合にはたとえば、液体流出口３２に設けられたバルブ６４に細管またはホース、散布器、ノズルまたは噴霧器を設け、これによって各作用物質キャリヤ２および／または冷却長伸部材へ液体３１を送ることが可能である。
【図１】
0006732757.tif 000002
【図２】
0006732757.tif 000003
【図３ａ】
0006732757.tif 000004
【図３ｂ】
0006732757.tif 000005
【図４】
0006732757.tif 000006
【図５】
0006732757.tif 000007
【図６】
0006732757.tif 000008
【図７】
0006732757.tif 000009